(57)【特許請求の範囲】
【請求項１】
ＣＡＴＶ幹線用の入力端子および出力端子を有するトップハウジングと、信号処理用回路を有し、前記トップハウジングと組み合わされて前記入力端子と前記出力端子との間に挿入され、信号を処理するボトムハウジングと、前記ボトムハウジングが前記トップハウジングに組み合わされたとき、前記信号処理用回路を前記ＣＡＴＶ幹線用の前記入力端子と前記出力端子との間に挿入し、前記ボトムハウジングが前記トップハウジングから外されたとき、前記入力端子と前記出力端子とを接続するスイッチ機構とをそなえたＣＡＴＶ用信号分岐分配器において、
弾性導電体により構成されて前記トップハウジングにおける前記入力端子と前記出力端子との間に各端部が前記入力端子または前記出力端子に接触、離間し得るように配されたスイッチ要素と、
前記入力端子および前記出力端子の近傍に配され、前記スイッチ要素が前記入力端子および前記出力端子から離間したとき、前記スイッチ要素の各端部に当接して接地する接地要素と、
前記ボトムハウジングを前記トップハウジングから外したとき、前記スイッチ要素を前記入力端子、前記出力端子に接続して両端子間を接続し、前記ボトムハウジングを前記トップハウジングに組み合わせたとき、前記スイッチ要素を前記接地要素に接続する操作要素と
をそなえたことを特徴とするＣＡＴＶ用信号分岐分配器における幹線入出力回路。
【請求項２】
請求項１記載のＣＡＴＶ用信号分岐分配器における幹線入出力回路において、
前記接地要素はコンデンサである、ＣＡＴＶ用信号分岐分配器における幹線入出力回路。
【請求項３】
請求項１記載のＣＡＴＶ用信号分岐分配器における幹線入出力回路において、
前記接地要素は、
ディスク型コンデンサと、
弾性導電材料により構成され、馬蹄形部およびこの馬蹄形部からこの馬蹄形の中心部に向かいかつ立ち上がって延びる突出片部を有する接続部材と
をそなえ、
前記接続部材の前記馬蹄形部は前記トップハウジングに固定され、前記突出片部に前記ディスク型コンデンサが固着される、ＣＡＴＶ用信号分岐分配器における幹線入出力回路。
【請求項４】
請求項１記載のＣＡＴＶ用信号分岐分配器における幹線入出力回路において、
前記スイッチ要素を前記入力端子および前記出力端子に対して背後から押圧する補助バネが設けられた、ＣＡＴＶ用信号分岐分配器における幹線入出力回路。
【請求項５】
請求項４記載のＣＡＴＶ用信号分岐分配器における幹線入出力回路において、
前記スイッチ要素および前記補助バネに係合する係合片が設けられた、ＣＡＴＶ用信号分岐分配器における幹線入出力回路。
【請求項６】
請求項５記載のＣＡＴＶ用信号分岐分配器における幹線入出力回路において、
前記係合片は、前記スイッチ要素および前記補助バネに対して摺動接触するように構成された、ＣＡＴＶ用信号分岐分配器における幹線入出力回路。
【発明の詳細な説明】
【０００１】
【発明の属する技術分野】
本発明はＣＡＴＶ用信号分岐分配器に係り、とくに補修の際に幹線を活線状態に置くためのスイッチ構造に関する。
【０００２】
【従来の技術】
ＣＡＴＶ用信号分岐分配器は、入力端子と出力端子との間に適当数の分配端子を持った分配回路を有し、入力端子および出力端子を幹線に接続して幹線からのＴＶ信号を分配端子に供給するものである。この分配器を電話サービスにも利用しようとする動きがあり、これには幹線にＣＡＴＶ信号に重畳して高周波変調された電話信号および電話電源用の低周波電流を流すようにする。この場合、電話サービスはＣＡＴＶサービスよりも高い伝送信頼性が求められる。
【０００３】
ここで、ＣＡＴＶ分配器は保守サービスのために、分配器ハウジングを開けて内部を操作することがあるが、通常のＣＡＴＶ用分配器はハウジングを開けると幹線が切断されるものがある。
【０００４】
電話サービスでは、このような保守サービスの際においても幹線が瞬時でも切断されないようにする必要があり、そのために分配回路に対するバイパス路およびこのバイパス路への自動切換を行うスイッチ機構を設けることとしている。
【０００５】
実用新案登録第３０３６３８８号明細書には、このようなスイッチ機構を有するＣＡＴＶ用分配器が示されている。このＣＡＴＶ用分配器では、入力端子と出力端子との間に、ボトムハウジングの着脱に応じて出没する作用ピンによって両端子に接触、離間する細長い導電性弾性部材が設けられており、スイッチ機構として機能する。つまり、トップハウジングからボトムハウジングを取り外すと導電性弾性部材により入力端子と出力端子とが直接接続され、またボトムハウジングをトップハウジングに組み合わせるとボトムハウジング内の分配回路が入力端子と出力端子との間に介挿された状態となる。
【０００６】
【発明が解決しようとする課題】
このＣＡＴＶ用分配器では、ボトムハウジングをトップハウジングに組み合わせたとき、スイッチ機構の導電性弾性部材がハウジング内で電気的に浮いた状態になり、高周波的に予期せぬ影響を及ぼすことがある。この結果、分配器の高周波特性を乱すことがある。
【０００７】
本発明は上述の点を考慮してなされたもので、分岐分配回路の高周波特性に悪影響を及ぼすことのない幹線切換用のスイッチ機構を持ったＣＡＴＶ用信号分岐分配器における幹線入出力回路を提供することを目的とする。
【０００８】
【課題解決のための手段】
上記目的達成のため、本発明では、
ＣＡＴＶ幹線用の入力端子および出力端子を有するトップハウジングと、信号処理用回路を有し、前記トップハウジングと組み合わされて前記入力端子と前記出力端子との間に挿入され、信号を処理するボトムハウジングと、前記ボトムハウジングが前記トップハウジングに組み合わされたとき、前記信号処理用回路を前記ＣＡＴＶ幹線用の前記入力端子と前記出力端子との間に挿入し、前記ボトムハウジングが前記トップハウジングから外されたとき、前記入力端子と前記出力端子とを接続するスイッチ機構とをそなえたＣＡＴＶ用信号分岐分配器において、弾性導電体により構成されて前記トップハウジングにおける前記入力端子と前記出力端子との間に各端部が前記入力端子または前記出力端子に接触、離間し得るように配されたスイッチ要素と、前記入力端子および前記出力端子の近傍に配され、前記スイッチ要素が前記入力端子および前記出力端子から離間したとき、前記スイッチ要素の各端部に当接して接地する接地要素と、前記ボトムハウジングを前記トップハウジングから外したとき、前記スイッチ要素を前記入力端子、前記出力端子に接続して両端子間を接続し、前記ボトムハウジングを前記トップハウジングに組み合わせたとき、前記スイッチ要素を前記接地要素に接続する操作要素とをそなえたことを特徴とするＣＡＴＶ用信号分岐分配器における幹線入出力回路、
を提供する。
【０００９】
【発明の実施の形態】
図１は、本発明の一実施例の全体的構成を示したものである。この図１において、中央やや上部で水平方向に引かれた一点鎖線の上方がトップハウジング１０で、下方がボトムハウジング２０であり、このボトムハウジング２０は、トップハウジング１０から取り外し可能であるが、常時はトップハウジング１０に組み合わされており、ボトムハウジング２０の改修、変更時に取り外される。
【００１０】
トップハウジング１０には、入力端子ＩＮおよび出力端子ＯＵＴが設けられており、これら両端子ＩＮ，ＯＵＴの間に、常時つまりトップハウジング１０にボトムハウジング２０が装着されているときは、ボトムハウジング２０に設けられた低周波通電回路、ならびに幹線回路および分岐分配回路を含む高周波回路が介挿される。そして、低周波通電回路により入力端子ＩＮ，出力端子ＯＵＴ間に低周波電流を流すとともに、幹線回路により入力端子ＩＮと出力端子ＯＵＴとの間に変調された高周波電話信号を伝送し、また入力端子ＩＮから出力端子ＯＵＴに向けてＴＶ信号を伝送し、かつ分岐分配回路により分岐端子Ｂ１，Ｂ２，Ｂ３，…，Ｂ８にＴＶ信号を供給する。
【００１１】
ここで、低周波通電回路は、低周波チョークＣＨにより構成され、低周波電流を入力端子ＩＮ，出力端子ＯＵＴ間で双方向に通電する。そして、分岐分配回路は、分岐回路ＢＲおよび分配回路ＤＩＳにより構成され、分岐回路ＢＲは方向性結合器により構成され、入力端子ＩＮと出力端子ＯＵＴとの間で高周波電話信号を含むＣＡＴＶ信号の伝送を行うとともに、入力端子ＩＮからのＴＶ信号を分配回路ＤＩＳに与えて分配端子Ｂ１，Ｂ２，Ｂ３，…，Ｂ８に供給し、かつ分配端子Ｂ１，Ｂ２，Ｂ３，…，Ｂ８からの高周波電話信号を入力端子ＩＮに向けて伝送する。この場合、８個の分配端子を有する分配回路ＤＩＳの構成は、２分配回路を３段構成とするのが一般的であるが、他の構成でもよい。
【００１２】
このように、トップハウジング１０にボトムハウジング２０が組み合わされているときは、図１に上向きの破線矢印で示されているように、スイッチ要素ＳＷの図示左右両端が破線図示されるように上方に押し上げられ、各端がコンデンサＣ１、Ｃ１’を介してトップハウジング１０に接地される。また、スイッチ要素ＳＷの中央部は、コンデンサＣ２および抵抗Ｒ２の直列回路により常に接地されている。これにより、スイッチ要素ＳＷが何らかの周波数に共振するなどによって分岐分配回路の高周波特性を乱すことを防止している。
【００１３】
他方、トップハウジング１０からボトムハウジング２０が外されたときは、スイッチ要素ＳＷの両端を上方に押し上げる力がなくなり、スイッチ要素ＳＷが実線図示するように入力端子ＩＮと出力端子ＯＵＴとの間に介挿されるから、入力端子ＩＮと出力端子ＯＵＴとの間ではチョークＣＨを介して低周波電流が、またコンデンサＣ１１およびＣ１２を介して高周波電話信号を含むＣＡＴＶ信号が直接伝送される。
【００１４】
図２（ａ）および（ｂ）は、本発明に係る分岐分配器の縦断面構造を示したもので、図２（ａ）はトップハウジング１０とボトムハウジング２０とを組み合わせた状態を示し、図２（ｂ）はトップハウジング１０からボトムハウジング２０を外した状態を示している。
【００１５】
これら両図から分かるように、トップハウジング１０には入力端子ＩＮおよび出力端子ＯＵＴが支持部材１１により支持されている。入力端子ＩＮおよび出力端子ＯＵＴは、図示のように図面左右方向から差し込まれる同軸ケーブルの芯線を固定し、同軸ケーブルとの間で低周波電流および各信号を授受するための端子である。そして、上述したように、この入力端子ＩＮと出力端子ＯＵＴとの間を直接接続するために、スイッチ要素ＳＷが設けられている。
【００１６】
このスイッチ要素ＳＷは、図２（ａ）に示すように、トップハウジング１０にボトムハウジング２０が組み合わされているときは、係合片１２がボトムハウジング２０内に設けられた回路基板２１の図示上面に当接して上方に押し上げられるから、係合片１２を介してスイッチ要素ＳＷの両端が上方に押し上げられて入力端子ＩＮおよび出力端子ＯＵＴから離れてコンデンサＣ１、Ｃ１’に当接する。この際、係合片１２がスイッチ要素ＳＷの背後つまり図示上側に配された補助バネ１３を押し上げてスイッチ要素ＳＷを上方に曲げ易くする。
【００１７】
この状態では、入力端子ＩＮと出力端子ＯＵＴとの間には、ボトムハウジング２０に設けられた回路基板２１が接続片２２を介して挿入されており、分岐分配回路としての動作が行われる。回路基板２１は、取り付け脚２３によってボトムハウジング２０に固定されている。
【００１８】
そして、ボトムハウジング２０をトップハウジング１０から引き離すと、係合片１２を押し上げる作用力がなくなるから、補助バネ１３の下向きの力が係合片１２を介してスイッチ要素ＳＷに与えられ、スイッチ要素ＳＷの各端近傍の湾曲部が入力端子ＩＮおよび出力端子ＯＵＴに当接する。当接力は、スイッチ要素ＳＷおよび補助バネ１３の弾性作用力が協働したものとなるから、入力端子ＩＮおよび出力端子ＯＵＴは、スイッチ要素ＳＷによって直接接続される。
【００１９】
このとき、コンデンサＣ１およびＣ１’は、トップハウジング１０の上壁面に固定金具１４によって保持されている。
【００２０】
図３は、図２に示した支持部材１１、係合片１２、補助バネ１３を、入力端子ＩＮおよび出力端子ＯＵＴと関連付けて示したものである。入力端子ＩＮおよび出力端子ＯＵＴは、ともにトップハウジング１０の内壁面に固定されている支持部材１１ａ，１１ｂに設けられた貫通孔に上部および下部の円筒状部が挿通され、かつ両者間に挟まれて回動可能に支持されている。
【００２１】
この支持部材１１には、係合片１２の突出部を挿通するための貫通孔が設けられており、係合片１２の図示下側の端部に、ボトムハウジング２０内の回路基板（図示せず）から作用力を受けるようになっている。
【００２２】
係合片１２は、図示上部がスイッチ要素ＳＷと係合する溝部および補助バネ１３と接触する当接面を有し、図示下部に上述した突出部が設けられている。係合片１２の溝部にはスイッチ要素ＳＷの両端部が差し込まれており、また当接面には補助バネ１３の各端が当接している。そして、係合片１２にボトムハウジング２０の回路基板から図示上向きの力が与えられれば、係合片１２の溝に差し込まれたスイッチ要素ＳＷの両端部に対してコンデンサＣ１，Ｃ１’に当接するように屈曲させる作用が行われる。また、係合片１２に対する図示上向きの力がなくなれば、補助バネ１３の作用力が係合片１２の当接面に与えられて、係合片１２の溝部でスイッチ要素ＳＷの両端をスイッチ要素ＳＷ自体の弾性復元力とともに図示下向きに押し下げ、入力端子ＩＮおよび出力端子ＯＵＴの図示上端に当接する。
【００２３】
図４（ａ），（ｂ）は、係合片１２とスイッチ要素ＳＷおよび補助バネ１３との動作上の関係を示したものである。まず図４（ａ）では、係合片１２に図示しない回路基板から上向きの作用力ｆ１が与えられ、溝部の下側両端でスイッチ要素ＳＷに対して作用力ｆ２，ｆ３が与えられ、また補助バネ１３が当接面により図示上方に押し上げられる。これによりスイッチ要素ＳＷが弾性変形し、その端部がコンデンサＣ１またはＣ１’に当接する。これに対して図４（ｂ）では、係合片１２に図示上向きの作用力が与えられないから、スイッチ要素ＳＷは自身の弾性復元力と係合片１２の溝部中央に設けられた突起を介して与えられる補助バネ１３の復元力ｆ４とにより、スイッチ要素ＳＷの各端部が入力端子ＩＮおよび出力端子ＯＵＴに接触する。このとき，補助バネ１３の補助力によりスイッチ要素ＳＷは適正圧で各端子ＩＮ，ＯＵＴに当接することができる。
【００２４】
この場合、係合片１２がスイッチ要素ＳＷおよび補助バネ１３に対してほぼ線接触して摺動しながら押す力を与えるから、スイッチ要素ＳＷおよび補助バネ１３が屈曲などの挙動を円滑に行う。
【００２５】
図５は、ボトムハウジング２０を外した状態で、トップハウジング１０を斜め下側から見た透視図である。この図５から分かるように、支持部材１１には入力端子ＩＮおよび出力端子ＯＵＴならびに係合片１２が支持されている。支持部材１１は、トップハウジング１０における入力端子ＩＮと出力端子ＯＵＴとを結ぶ線上に設けられており、入力端子ＩＮと出力端子ＯＵＴとの間に回路基板を挿入したり、これら両端子間を直接接続したりする。
【００２６】
図６（ａ），（ｂ）は、トップハウジング１０の内壁面におけるコンデンサＣ１（Ｃ１’）の固定構造を示したものである。トップハウジング１０の隅部には、一部が切り欠かれたほぼ円形の窪みが設けられており、この窪みに輪郭が馬蹄形で内部に馬蹄形の中心部に向かいかつ立ち上がって延びる突出片部を有する接続部材１４が圧入されている。そして、この接続部材１４の突出片部にディスク型コンデンサＣ１（Ｃ１’）が半田付けなどにより固着され、接続されている。
【００２７】
これにより、スイッチ要素ＳＷがコンデンサＣ１（Ｃ１’）から離れても、コンデンサＣ１（Ｃ１’）はトップハウジング１０に固定された状態を保つ。
【００２８】
（変形例）
上記実施例では、ボトムハウジングに信号分岐分配回路を有するＣＡＴＶ用信号分岐分配器について説明したが、ボトムハウジングに信号分岐回路以外の信号処理回路，例えば所定周波数より高い周波数の信号と低い周波数の信号とに分けて各別に処理するために、ＤＩＰＥＸ  ＦＩＬＴＥＲ、Ｓ／Ｅ、Ｒ／Ｅ等を組み込んだものについても本発明を適用することができる。
【００２９】
【発明の効果】
本発明は上述のように、入出力端子を有するトップハウジングと分岐分配回路を有するボトムハウジングとを組み合わせてなり、両ハウジングを離間させるときは入出力端子間を接続するスイッチ要素を持ったＣＡＴＶ用分岐分配器において、両ハウジングを組み合わせた状態ではスイッチ要素が接地されるように構成したため、スイッチ要素が原因となって分岐分配回路の高周波特性を乱すことを防止することができる。
【図面の簡単な説明】
【図１】本発明の一実施例の構成を示す説明図。
【図２】図１の実施例におけるトップハウジングとボトムハウジングとを組み合わせたとき、および引き離したときの内部状態を示す縦断面図。
【図３】同実施例におけるトップハウジングに組み付けられる支持部材、スイッチ要素、係合片および補助バネ等の関係を示す分解説明図。
【図４】同実施例におけるスイッチ要素と、入出力端子、係合片および補助バネとの関係を示す説明図であり、図４（ａ）はトップハウジングにボトムハウジングを組み合わせたときを、また図４（ｂ）はボトムハウジングを外したときを示す説明図。
【図５】同実施例におけるトップハウジングの内部構造を斜め下から見た状態を示す説明図。
【図６】同実施例におけるトップハウジングへのコンデンサの固定構造を示す説明図。
【符号の説明】
１０  トップハウジング
１１  支持部材
１２  係合片
１３  補助バネ
１４  接続部材
２０  ボトムハウジング
２１  回路基板
２２  接続片
２３  固定脚
【図１】
0003597464.tif 000002
【図２】
0003597464.tif 000003
【図３】
0003597464.tif 000004
【図４】
0003597464.tif 000005
【図５】
0003597464.tif 000006
【図６】
0003597464.tif 000007